(57)【要約】【課題】タンクカバーの蓋部の着脱が容易で外観上の見栄えが良い。【解決手段】洗浄水タンク装置６は、洗浄水を貯留するタンク本体１０とタンク本体１０を覆うタンクカバー７とを備えた。タンクカバー７は上面に開口８ａを備えた本体部８と開口８ａを閉塞する蓋部９とを有する。開口８ａの一辺を仕切る本体部８の係合受け部１９は断面略Ｕ字状で、その底部１９ａに蓋部９の係合端部９ａが係合する。係合受け部１９の底部１９ａは流入した水をタンクカバー７内に誘導するガイド孔２０を長手方向の中央部またはその近傍に設けた。係合受け部１９の底部１９ａに設けたガイド孔２０の下方にはタンク本体１０の内蓋１４のスロープ２２を有し、落下した水がスロープ２２を流れて貫通孔２３からタンク本体内に回収する。【選択図】図６
2016191242.tif 000002
【特許請求の範囲】
【請求項１】
洗浄水を貯留するタンク本体と前記タンク本体を覆っているタンクカバーとを備えた洗浄水タンク装置であって、
前記タンクカバーは、上面及び側面を有していて前記上面に開口を備えた本体部と、前記開口を閉塞する取り外し可能な蓋部とを有していて、
前記本体部の開口端部に設けている係合受け部と、前記蓋部に設けていて前記係合受け部に係合する係合端部とを備えたことを特徴とする洗浄水タンク装置。
【請求項２】
前記本体部の係合受け部は、流入した水を前記タンクカバー外部に導く誘導路を形成している請求項１に記載された洗浄水タンク装置。
【請求項３】
前記係合受け部は、流入した水を前記タンクカバー内に誘導するガイド部を設けた請求項１または２に記載された洗浄水タンク装置。
【請求項４】
前記係合受け部に設けたガイド部の下方には前記タンク本体の内蓋を有しており、該内蓋には前記タンク本体内に連通する貫通孔を設けている請求項３に記載された洗浄水タンク装置。
【請求項５】
前記内蓋には、前記係合受け部のガイド部から落下する水を前記貫通孔に案内するスロープを有している請求項４に記載された洗浄水タンク装置。
【発明の詳細な説明】
【技術分野】
【０００１】
本発明は、例えば便器本体等を洗浄する洗浄水を貯留するタンク本体を覆うタンクカバーを備えた洗浄水タンク装置に関する。
【背景技術】
【０００２】
従来、便器に洗浄水を供給するロータンクとして、例えば特許文献１に記載されたものが知られている。このロータンクはタンクカバーの上部に手洗鉢と手洗い用ノズルを有する上蓋を設けた手洗い付きロータンクであり、その内部に洗浄水を貯留するタンク本体が配設されている。そして、タンクカバーにおける手洗鉢の排出孔の下側にタンク本体の上面をなす蓋が設置され、この蓋には排出孔から流れ落ちる排水をタンク本体の内部に誘導する水受け樋が設けられている。
【０００３】
また、手洗いなしトイレのロータンクは、例えば特許文献２に記載されたもののようにロータンクの上部を全体に覆う四角い鉢状の上蓋を反転させて設置している。
【先行技術文献】
【特許文献】
【０００４】
【特許文献１】特開平１１−３２４０５８号公報
【特許文献２】実用新案登録第３０６１００３号公報
【発明の概要】
【発明が解決しようとする課題】
【０００５】
しかしながら、特許文献１に記載された手洗い付きロータンクでは、タンクカバー内のタンク本体のメンテナンスや修理等を行うためには手洗い鉢及び手洗い用ノズルを含むタンクカバーの上蓋全体を取り外さなければならなかった。特にタンクカバーは陶器製のものが多いため重くて着脱が面倒であった。
また、特許文献２に記載された手洗いなしロータンクにおいても上蓋全体を取り外してメンテナンスをしなければならず、煩雑であった。また、タンク本体を覆う上蓋の端部がタンク本体の側面に位置するため外観上の見栄えがよくないという欠点があった。しかも、上蓋の上面は略平面であるために汚れが目立ち、この点でも見栄えが悪いという欠点があった。
【０００６】
本発明は、このような課題に鑑みてなされたものであって、タンクカバーの蓋部の着脱が容易で外観上の見栄えが良い洗浄水タンク装置を提供することを目的とする。
また、本発明の他の目的は、掃除などの際にタンクカバーの上面に水がこぼれてタンクカバー内部に入った水をタンクカバー外部または内部のタンク本体内に誘導できるようにした洗浄水タンク装置を提供することである。
【課題を解決するための手段】
【０００７】
本発明による洗浄水タンク装置は、洗浄水を貯留するタンク本体とタンク本体を覆っているタンクカバーとを備えた洗浄水タンク装置であって、タンクカバーは、上面及び側面を有していて上面に開口を備えた本体部と、開口を閉塞する取り外し可能な蓋部とを有していて、本体部の開口端部に設けている係合受け部と、蓋部に設けていて係合受け部に係合する係合端部とを備えたことを特徴とする。
本発明による洗浄水タンク装置は、タンクカバーの本体部の上面に設けた開口を蓋部で取り外し可能に閉塞し、しかも本体部の開口端部に設けた係合受け部に蓋部の係合端部が係合して閉塞するため、上面における本体部と蓋部のつなぎ目が目立たず汚れも目立たないので意匠性が高い。しかも、便器本体に着座した使用者がタンクカバーに寄り掛かったとしても、蓋部はタンクカバーの上面に設けた開口にのみ設置したため、蓋部の縁が当たって不快な思いをすることがない。
【０００８】
また、本体部の係合受け部は、流入した水をタンクカバー外部に導く誘導路を有していることが好ましい。
これによってタンクカバーの係合受け部に流入した水を係合受け部の誘導路を通してタンクカバーの外部に排出できる。
【０００９】
また、本体部の係合受け部は、流入した水をタンクカバー内に誘導するガイド部を設けていることが好ましい。
掃除等の際にタンクカバー上の水が係合受け部に流れて外部に排出されたとして、係合受け部から溢れそうになった場合、係合受け部と係合端部の係合部から、係合受け部のガイド部に水が誘導されてタンクカバー内部に排出できる。
なお、ガイド部はガイド孔でもよいし、断面略Ｖ字状等のガイド溝等でもよい。
【００１０】
また、係合受け部に設けたガイド部の下方にはタンク本体の内蓋を有しており、該内蓋にはタンク本体内に連通する貫通孔を設けていてもよい。
掃除等によってタンクカバーの本体部の上面にかかった水が、本体部の係合受け部からガイド部に誘導されて、ガイド部から落下して内蓋の貫通孔を通ってタンク本体内に回収できる。そのため、水が飛散したり洗浄水タンク装置の電気部品等に付着したりしない。
【００１１】
また、内蓋には、係合受け部のガイド部から落下する水を貫通孔に案内するスロープを有していてもよい。
タンクカバー本体部の上面における係合受け部に流れ込んだ水は、係合受け部でガイド部に水が集められて、ガイド部から更に内蓋のスロープに落下し、スロープを流れて貫通孔からタンク本体内に落下して回収できる。この貫通孔はボールタップ等のタンク本体の収納部品を装着する孔の隙間でもよいし、この水を挿入するために形成した孔でもよい。
【発明の効果】
【００１２】
本発明による洗浄水タンク装置によれば、タンクカバーは本体部上面の開口を蓋部で閉塞し、本体部の開口端部に設けた係合受け部と蓋部に設けた係合端部が係合しているために、上面における本体部と蓋部のつなぎ目が目立たず汚れも目立たないので意匠性が高い。
【図面の簡単な説明】
【００１３】
【図１】本発明の実施形態による温水洗浄便器の斜視図である。
【図２】図１に示すロータンクのタンクカバーを破断した内面の斜視図である。
【図３】タンクカバー本体部の上面に形成した開口とその内部に収納したタンク本体を示す図である。
【図４】図1に示すロータンクのタンクカバーをＡ−Ａ線で破断した部分断面図である。
【図５】（ａ）はロータンク上面部分の破断図、（ｂ）は同図（ａ）におけるタンクカバーの本体部と蓋部の係合部分の拡大断面図である。
【図６】タンクカバーの本体部と蓋部の係合部分とタンク本体の内蓋とを分解して示す要部斜視図である。
【図７】（ａ）は実施形態によるタンクカバー本体部と蓋部の係合部分の変形例を示す部分断面図、（ｂ）は同図（ａ）におけるＢ方向矢視図である。
【発明を実施するための形態】
【００１４】
以下、本発明の実施形態による温水洗浄便器１を図１乃至図６に基づいて説明する。
図１は本発明の実施形態による温水洗浄便器１を示すものであり、例えば陶器製の便器本体２の上部に便座３が設置され、便座３の後端部には例えばロータンク５が設置されている。ロータンク５は外側に設けたタンクカバー７の本体部８で概ね覆われており、上面の背面側に形成した開口８ａに取り外し可能な蓋部９が設置されている。
図２及び図３において、タンクカバー７に設けた蓋部９は、例えば取り外して開口８ａを通して、タンク本体１０や内蓋１４やその近辺の後述するボールタップ１２や便器本体２を自動洗浄するモーター２５等のメンテナンスを行うことができる。
【００１５】
そして、タンクカバー７は例えば陶器または樹脂製であり、その内部には、図２に示すように、便器本体２内を洗浄するための洗浄水を貯留するタンク本体１０と図示しないベースプレートが設置されている。便器本体２の背面側上部に設置されたタンクカバー７とタンク本体１０とベースプレートとで洗浄水タンク装置６を構成する。
図２に示す洗浄水タンク装置６において、タンク本体１０は例えば樹脂製または陶器製であり、タンク本体１０内にはボールタップ１２、オーバーフロー管、浮玉を備えたフラッパー弁等が設置されている。タンク本体１０の上面には内蓋１４が設置され、下面には図示しないベースプレートが連結され、タンク本体１０の下部の両側部には局部を温水洗浄するための温水洗浄用電気部品１５と脱臭用電気部品や脱臭フィルター等を備えた脱臭器１６とが設置されている。
【００１６】
図１において、タンクカバー７の前面８ｂは全体に滑らかな凹曲面で形成され、蓋部９が露出していないので、便座３に着座した使用者が背もたれとして寄り掛かることが可能である。タンクカバー７の上部は例えば前面８ｂから上面８ｄを有する段差を介して蓋部９が背面８ｃに向けて緩やかな下り傾斜の凸曲面に形成されている。或いは上面８ｄと蓋部９は平坦面や凸曲面、または面一とされていてもよい。また、上面８ｄより蓋部９が上方に位置してもよい。
【００１７】
しかも、図３において、タンクカバー７の本体部８の上面に形成した開口８ａは例えば平面視で略四角形状であり、開口８ａの背面側と両側面側の３辺の端縁には断面略Ｌ字状の段付きの受け部１８が形成されている。
特に図３において、略四角形の開口８ａにおける前面８ｂ側の一辺の係合受け部１９は、図４及び図５にも示すように、本体部８の上面８ｄとの間に凹段部があるため、受け部１８と凹段部を含めて断面略Ｕ字状の係合受け部１９が一辺の全長に亘って湾曲して形成されている。係合受け部１９は、上面８ｄから下方へ垂下した垂下部１９ｂと垂下部１９ｂから略水平に延びた底部１９ａと底部１９ａから上方へ突出した突出片１９ｃとから形成されている。なお、係合受け部１９は底部１９ａに流れ落ちた水をタンクカバー７の両端から外部に排出可能な誘導路を形成する。
【００１８】
この係合受け部１９の底部１９ａの中央部またはその近傍にはガイド孔２０が形成されており、しかもこの底部１９ａは係合受け部１９に流れ落ちた水の流路となっており、開口８ａの一辺をなす係合受け部１９の両端部からガイド孔２０に向けて次第に低くなるように傾斜面を形成し、ガイド孔２０の部分で最も高さが低くなっている。
一方、蓋部９は略四角形板状をなしていてその四辺の周縁部には、開口８ａの３辺の受け部１８と残りの一辺の係合受け部１９に着座する下向き片をなす係合端部９ａが形成されている。そのため、図４及び図５に示すように開口８ａの前面側の断面略Ｕ字状の係合受け部１９の底部１９ａに蓋部９の係合端部９ａが着座して係合する。
【００１９】
そして、図３及び図６に示すように、タンクカバー７の本体部８の開口８ａの内部にはタンク本体１０が設けられ、タンク本体１０の上面に設置した内蓋１４が対面している。係合受け部１９のガイド孔２０の下側には、凹部形状の傾斜面をなすスロープ２２が形成されており、ガイド孔２０の直下はスロープ２２の高さが比較的高い上端部に位置している。
また、スロープ２２の傾斜面の下端部には内蓋１４の貫通孔２３が形成されており、貫通孔２３にはタンク本体１０の内部に固定されたボールタップ１２の上端が突出している。貫通孔２３の内径はボールタップ１２の外径寸法よりも大きいため、隙間が形成されている。そのため、係合受け部１９の底部１９ａに水が落下した場合には、ガイド孔２０を通して内蓋１４のスロープ２２に落下し、この水はスロープ２２を流れて貫通孔２３の隙間からタンク本体１０内に落下して回収されることになる。
【００２０】
本実施形態による温水洗浄便器１の洗浄水タンク装置６は上述の構成を備えており、次にその作用について説明する。
図１に示す本実施形態による温水洗浄便器１において、洗浄水タンク装置６のロータンク５を水等で掃除している際、水がロータンク５の上面を流れて本体部８の開口８ａと開口８ａを塞ぐ蓋部９との仕切り部である係合受け部１９と蓋部９の係合端部９ａとの隙間に流れ込むことがある。この場合、係合受け部１９が断面略Ｕ字状であるために、底部１９ａの高所から低所のガイド孔２０に向けて流れる。また、係合受け部１９に溜まった水の一部は係合受け部１９を誘導路としてその両端からタンクカバー７の外部に排出される。
【００２１】
ここで、仮に係合受け部１９にガイド孔２０がないと水は係合受け部１９内に溜まる。そして、次第に底部１９ａに溜まった水は係合受け部１９の断面略Ｕ字の自由端縁である突出片１９ｃを溢れて乗り越えてタンクカバー７の内部のタンク本体１０の内蓋１４上等に落下する。
しかし、図３に示すように、タンク本体１０の上面には、内蓋１４における給水部のボールタップ１２とは反対側端部に便器本体２を自動洗浄するためのモーター２５と回路配線２６が設置されているため、自動洗浄用のモーター２５や回路配線２６が水にぬれて故障や損傷等の原因になる。或いは、内蓋１４からタンク本体１０の側面等を通して落下して温水洗浄用電気部品１５や脱臭器１６等に水がかかって故障や損傷の原因になるおそれがある。
【００２２】
しかしながら、本実施形態では、本体部８の係合受け部１９内の底部１９ａに落下した掃除用の水は、開口８ａを形成する他の辺の受け部１８に回り込むより早く高さの低いガイド孔２０に集められ、ガイド孔２０から下方に落下する。図６に示すようにタンクカバー７の内部に落下した水は、タンク本体１０の内蓋１４におけるスロープ２２の比較的高所に付着してスロープ２２を低所に向けて流れ落ちる。そして、スロープ２２の低所の貫通孔２３におけるボールタップ１２との隙間からタンク本体１０内の貯留水に落下し、回収される。
【００２３】
上述したように本実施形態による温水洗浄便器１の洗浄水タンク装置６によれば、タンクカバー７の本体部８の上面に形成した開口８ａは蓋部９によって閉鎖されており、開口８ａの四辺の縁部を形成する受け部１８と係合受け部１９に蓋部９の係合端部９ａがそれぞれ着座しているために、タンクカバー７の上面における開口８ａの仕切り部が上面に形成されて汚れ等が見えず、意匠性が高い。
しかも、タンクカバー７は上面の背面側領域に開口８ａを形成したから、凸曲面形状をなす前面８ｂ側に蓋部９が露出せず、外観がきれいである上に、便座３に着座した使用者が前面８ｂに背もたれすることができる。
【００２４】
しかもタンクカバー７の上面である本体部８と開口８ａの蓋部９とを水拭き等で掃除している際に、誤って水が開口８ａの係合受け部１９と蓋の係合端部９ａとの仕切り部に落ちたとしても、断面略Ｕ字状の係合受け部１９内の底部１９ａに流れ落ちた後、ガイド孔２０から内蓋１４のスロープ２２に落下し、スロープ２２上を低所に流れて貫通孔２３からタンク本体１０内の貯留水に落下して回収できる。
そのため、タンクカバー７の上面におちた掃除用等の水がタンク本体１０に流れ込んで、自動洗浄用のモーター２５やその回路配線２６に掛かったり、或いはタンク本体１０のベースプレート上に設置した温水洗浄用電気部品１５や脱臭用電気部品と脱臭フィルター等を備えた脱臭器１６等に落下して水濡れすることを防止できる。
【００２５】
なお、本発明による温水洗浄便器１の洗浄水タンク装置６は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明を省略する。
【００２６】
例えば図７（ａ）、（ｂ）に示す洗浄水タンク装置６のタンクカバー７の本体部８における上面８ｄの開口８ａにおける係合受け部２８は、上述した実施形態における断面略Ｕ字状の係合受け部１９に代えて、断面略Ｌ字状に形成されている。しかも係合受け部２８の底部２８ａは中央部またはその近傍に更に下方に傾斜した正面視略Ｖ字状のガイド溝２８ｂが形成されている。
また、ガイド溝２８ｂの真下には内蓋１４の貫通孔２９が形成されている。或いは貫通孔２９に代えて上述した実施形態に示すスロープ２２に水が落下するようにしてもよい。
いずれの場合でも、上面の係合受け部２８内に落下した水は底部２８ａからガイド溝２８ｂに集められてガイド溝２８ｂから貫通孔２９、またはスロープ２２及び貫通孔２３を通ってタンク本体１０内に落ちて回収される。
【００２７】
なお、上述した実施形態では、タンクカバー７の本体部８の上面８ｄに設けた開口８ａを仕切る係合受け部１９について、断面略Ｕ字状の底部１９ａの中央部またはその近傍にガイド孔２０を形成して内蓋１４のスロープ２２に落下させるようにしたが、内蓋１４に水を落とす位置は必ずしも係合受け部１９の底部１９ａにおける中央部またはその近傍でなくてもよい。底部１９ａの端部近傍等でもよく、ガイド孔２０の設置位置は任意であり、例えば係合受け部１９の垂下部１９ｂまたは突出片１９ｃ等の側面でもよい。また、変形例における係合受け部２８の底部２８ａにおけるガイド溝２８ｂの位置も同様である。
【００２８】
なお、本発明においてガイド孔２０やガイド溝２８ｂは水の流出をガイドするガイド部を構成する。
また、本発明による洗浄水タンク装置６は、ロータンク５に限定されることなく、温水洗浄便器１に採用する適宜のタンクや、温水洗浄便座を有さない水洗便器等にも適用できる。
【符号の説明】
【００２９】
１  温水洗浄便器
２  便器本体
５  ロータンク
６  洗浄水タンク装置
７  タンクカバー
８  本体部
８ａ  開口
８ｂ  前面
８ｄ  上面
９  蓋部
９ａ  係合端部
１９、２８  係合受け部
１９ａ，２８ａ  底部
２０  ガイド孔
２２  スロープ
２３  貫通孔
２８ｂ  ガイド溝
２９  貫通孔
【図１】
2016191242.tif 000003
【図２】
2016191242.tif 000004
【図３】
2016191242.tif 000005
【図４】
2016191242.tif 000006
【図５】
2016191242.tif 000007
【図６】
2016191242.tif 000008
【図７】
2016191242.tif 000009